(57)【要約】【課題】キッチンカウンターの背面に備えたカウンターテーブルを取扱いが容易かつ外観を損なうことなく使用可能な構成とする。【解決手段】当該キッチンカウンター１側面にカウンターテーブル６の一端側を連結機構であるヒンジ１５を介して揺動可能に連結してカウンターテーブル６を水平姿勢と垂直姿勢とにその姿勢位置を変更可能となし、かつ、キッチンカウンター側面にカウンターテーブル６で覆い可能な凹所からなるスペース１０を設けると共にこのスペース１０内にヒンジ１５を取り付け、カウンターテーブル６が垂直姿勢にあるときはカウンターテーブル６によりスペース１０を覆ってヒンジ１５を外部から隠し可能に構成する。【選択図】図２
2008104553.tif 000002
【特許請求の範囲】
【請求項１】
カウンタ側面にカウンターテーブルの一端側を連結機構を介して揺動可能に連結して上記カウンターテーブルを水平姿勢と垂直姿勢とにその姿勢位置を変更可能としたキッチンカウンターにおいて、
上記カウンター側面にカウンターテーブルで覆い可能な凹所からなるスペースを設けると共にこのスペース内に上記連結機構を取り付け、
上記カウンターテーブルが垂直姿勢にあるときは当該カウンターテーブルにより上記スペースを覆って上記連結機構を外部から隠し可能に構成した、ことを特徴とするキッチンカウンター。
【請求項２】
上記スペースを、左右で対向する一対の側板と、スペース内奥側の奥板と、カウンタートップとで囲む空間により形成した、ことを特徴とする請求項１に記載のキッチンカウンター。
【請求項３】
上記カウンターテーブルが水平姿勢状態にあるとき、当該カウンターテーブルの一端側が上記スペース内に入り込む、ことを特徴とする請求項１または２に記載のキッチンカウンター。
【請求項４】
上記カウンタートップのスペースの入口近傍下面に前板を設け、上記スペース内に入り込んだカウンターテーブルの一端側が上記前板で隠される構成を備えた、ことを特徴とする請求項３に記載のキッチンカウンター。
【請求項５】
上記スペース内において上記奥板の上部に支持枠を突設し、この支持枠に上記連結機構を取り付け、この連結機構に上記カウンターテーブルの一端側背面を揺動可能に連結した、ことを特徴とする請求項２に記載のキッチンカウンター。
【請求項６】
スペース内に伸縮ステーの一端側を上下方向揺動自在に取り付けると共に伸縮ステーの他端側をカウンターテーブルの背面に揺動自在に取り付け、この伸縮ステーをカウンターテーブルを水平姿勢以上に揺動させて伸縮ステーを伸長させてのちカウンターテーブルを水平姿勢に戻すと短縮ロックされ、カウンターテーブルを再度水平姿勢以上に揺動させるとそのロックが解除されるロック機能付きとした、ことを特徴とする請求項１ないし５のいずれかに記載のキッチンカウンター。
【請求項７】
スペース内に屈伸ステーの一端側を上下方向揺動自在に取り付けると共に屈伸ステーの他端側をカウンターテーブルの背面に揺動自在に取り付け、この屈伸ステーをカウンターテーブルを水平姿勢以上に揺動させて屈伸ステーを伸長させてのちカウンターテーブルを水平姿勢に戻すと短縮ロックされ、カウンターテーブルを再度水平姿勢以上に揺動させるとそのロックが解除されるロック機能付きとした、ことを特徴とする請求項１ないし５のいずれかに記載のキッチンカウンター。
【請求項８】
上記支持枠を、上記奥板から水平に延びる水平枠材とこの水平枠材の前端部から垂直下方に延びる垂直枠材とでＬ型に構成し、この支持枠の上側前端縁に上記カウンターテーブルの一端側背面を上記連結機構を介して取り付けた、ことを特徴とする請求項６または７に記載のキッチンカウンター。
【請求項９】
上記連結機構をカウンターテーブルの一端側背面の先端より外れた位置に取り付け、カウンターテーブルの一端側背面の先端側近傍に上記水平枠材の上面との間でカウンターテーブルの水平姿勢以上の振り上げを許容する空間を形成した、ことを特徴とする請求項８に記載のキッチンカウンター。
【請求項１０】
上記許容空間をカウンターテーブルの連結機構との連結点より先端側の背面に設けた切欠により形成した、ことを特徴とする請求項９に記載のキッチンカウンター。
【請求項１１】
上記切欠形状が、上記連結点より先端側に向けて斜め形状である、ことを特徴とする請求項１０に記載のキッチンカウンター。
【請求項１２】
上記許容空間をカウンターテーブルの連結機構との連結点より先端側の背面に設けた凹部により形成した、ことを特徴とする請求項９に記載のキッチンカウンター。
【請求項１３】
上記支持枠を、上記奥板から水平に延びる水平枠材とこの水平枠材の前端部から垂直方向上下に延びる垂直枠材とでＴ型に構成し、この垂直枠材の上方に延びる端部に上記カウンターテーブルの一端側背面の先端より外れた位置を上記連結機構を介して取り付けた、ことを特徴とする請求項６または７に記載のキッチンカウンター。
【請求項１４】
上記奥板の下部にカウンターテーブルが垂直姿勢にあるときに該カウンターテーブルの他端側に当接してカウンターテーブルの他端側の上記スペース内への入り込みを規制する規制部材を設けた、ことを特徴とする請求項２ないし１３のいずれかに記載のキッチンカウンター。
【請求項１５】
上記水平枠材が小物類の収納棚を構成する、ことを特徴とする請求項６または７に記載のキッチンカウンター。
【請求項１６】
上記規制部材を上記奥板の下部から水平に延ばして構成してその上面を小物類の収納棚とした、ことを特徴とする請求項１４に記載のキッチンカウンター。
【請求項１７】
上記連結機構は、ヒンジである、ことを特徴とする請求項１ないし１６のいずれかに記載のキッチンカウンター。
【発明の詳細な説明】
【技術分野】
【０００１】
本発明は、キッチンカウンター、特に好ましくは厨房空間を、ダイニングルーム、リビングルーム、リビング兼ダイニングルーム等の隣接ルームから仕切って設置される対面式のキッチンカウンターに関する。
【背景技術】
【０００２】
上記のような対面式のキッチンカウンターには、厨房空間とは反対側のカウンター側面に使用時は水平姿勢に張り出し可能なカウンターテーブルを備えて、不使用時は垂直姿勢で格納できるよう構成したものがある（例えば、特許文献１参照）。
【０００３】
上記カウンターテーブルは、その一端側をヒンジ（蝶番）でキッチンカウンター側面に連結し、使用時にはカウンターテーブル一端側を揺動支点としてカウンターテーブル他端側を上方向に揺動させて水平姿勢となしその水平姿勢位置でカウンターテーブルをロックしてリビング・ダイニングルーム側からのカウンターテーブルの使用を可能となし、不使用時はそのロックを外してカウンターテーブル一端側を揺動支点としてテーブル他端側を垂直下方に引き下げて垂直姿勢で格納するようになっている。
【０００４】
しかしながら、このようなカウンターテーブルではその一端側のヒンジがリビング・ダイニングルーム側に露呈して当該リビング・ダイニングルーム側で意匠を凝らしたキッチンカウンターの見栄えを損ねてしまう要因となっていた。
【特許文献１】特開２００５−３０４８７５号公報
【発明の開示】
【発明が解決しようとする課題】
【０００５】
したがって、本発明により解決すべき課題は、リビング・ダイニングルーム側におけるキッチンカウンターの見栄えが損なわれないようにカウンターテーブルを格納可能にすることである。
【課題を解決するための手段】
【０００６】
（１）本発明によるキッチンカウンターは、カウンタ側面にカウンターテーブルの一端側を連結機構を介して揺動可能に連結して上記カウンターテーブルを水平姿勢と垂直姿勢とにその姿勢位置を変更可能としたキッチンカウンターにおいて、上記カウンター側面にカウンターテーブルで覆い可能な凹所からなるスペースを設けると共にこのスペース内に上記連結機構を取り付け、上記カウンターテーブルが垂直姿勢にあるときは当該カウンターテーブルにより上記スペースを覆って上記連結機構を外部から隠し可能に構成したことを特徴とするものである。
【０００７】
本発明における連結機構はその種類になんら限定されない。
【０００８】
本発明において水平姿勢や垂直姿勢は厳密な水平、垂直に意味せず、概略水平、概略垂直である。
【０００９】
上記スペースは、カウンターテーブルが垂直姿勢にあるときは当該カウンターテーブルにより完全に覆うことに限定せず、少なくとも上記連結機構を外部から隠すことができるようにカウンターテーブルで覆うことができればよい。したがって、カウンターテーブルで覆われないスペース部分が存在していてもよい。
【００１０】
本発明においては、カウンターテーブルの姿勢が垂直姿勢であるときはヒンジ等の連結機構がカウンターテーブルで外部から隠されるので、当該連結機構がリビング・ダイニングルーム側に露呈するようなことがなくなり、キッチンカウンターのリビング・ダイニングルーム側側面の見栄えを損ねてしまうことがない。
【００１１】
（２）本発明の好ましい一態様として、上記スペースを、左右で対向する一対の側板と、スペース内奥側の奥板と、カウンタートップとで囲む空間により形成する。
【００１２】
（３）本発明の好ましい一態様として、上記カウンターテーブルが水平姿勢状態にあるとき、当該カウンターテーブルの一端側が上記スペース内に入り込む。こうした場合、カウンターテーブルが水平姿勢になってスペースを覆っていない状態でも連結機構は外部上方位置からは隠されることとなって、キッチンカウンターのリビング・ダイニングルーム側側面の見栄えを損ねてしまうことがない。
【００１３】
（４）本発明の好ましい一態様として、上記カウンタートップのスペースの入口近傍下面に前板を設け、上記スペース内に入り込んだカウンターテーブルの一端側が上記前板で隠される構成を備える。こうした場合、連結機構をより外部上方位置から隠すことができるようになって、キッチンカウンターのリビング・ダイニングルーム側側面の見栄えを向上させることができる。
【００１４】
（５）本発明の好ましい一態様として、上記スペース内において上記奥板の上部に支持枠を突設し、この支持枠に上記連結機構を取り付け、この連結機構に上記カウンターテーブルの一端側背面を揺動可能に連結することが好ましい。こうした場合、連結機構をスペース内に取り付け易くすることができる。
【００１５】
（６）本発明の好ましい一態様として、スペース内に伸縮ステーの一端側を上下方向揺動自在に取り付けると共に伸縮ステーの他端側をカウンターテーブルの背面に揺動自在に取り付け、この伸縮ステーをカウンターテーブルを水平姿勢以上に揺動させて伸縮ステーを伸長させてのちカウンターテーブルを水平姿勢に戻すと短縮ロックされ、カウンターテーブルを再度水平姿勢以上に揺動させるとそのロックが解除されるロック機能付きとする。この構造を備えた伸縮ステーによりカウンターテーブルの水平姿勢への持ち上げ操作が容易となる。
【００１６】
（７）本発明の好ましい一態様として、スペース内に屈伸ステーの一端側を上下方向揺動自在に取り付けると共に屈伸ステーの他端側をカウンターテーブルの背面に揺動自在に取り付け、この屈伸ステーをカウンターテーブルを水平姿勢以上に揺動させて屈伸ステーを伸長させてのちカウンターテーブルを水平姿勢に戻すと短縮ロックされ、カウンターテーブルを再度水平姿勢以上に揺動させるとそのロックが解除されるロック機能付きとする。この構造を備えた屈伸ステーによりカウンターテーブルの水平姿勢への持ち上げ操作が容易となる。
【００１７】
（８）本発明の好ましい一態様として、上記支持枠を、上記奥板から水平に延びる水平枠材とこの水平枠材の前端部から垂直下方に延びる垂直枠材とでＬ型に構成し、この支持枠の上側前端縁に上記カウンターテーブルの一端側背面を上記連結機構を介して取り付ける。この構成では、水平枠材を小物類の棚に利用可能となり、一方、垂直枠材では垂直姿勢にあるカウンターテーブルの背面が当接して当該カウンターテーブルの垂直姿勢を安定して維持させることができる。
【００１８】
（９）本発明の好ましい一態様として、上記連結機構をカウンターテーブルの一端側背面の先端より外れた位置に取り付け、カウンターテーブルの一端側背面の先端側近傍に上記水平枠材の上面との間でカウンターテーブルの水平姿勢以上の振り上げを許容する空間を形成する。この構成では、カウンターテーブルを水平姿勢以上に持ち上げて単にその持ち上げを停止する操作で簡単にカウンターテーブルを使用姿勢に設定することができるようになる。
【００１９】
（１０）本発明の好ましい一態様として、上記許容空間をカウンターテーブルの連結機構との連結点より先端側の背面に設けた切欠により形成する。この切欠は機械加工が簡単に済んでコスト面から有利である。
【００２０】
（１１）本発明の好ましい一態様として、上記切欠形状が、上記連結点より先端側に向けて斜め形状である。
【００２１】
（１２）本発明の好ましい一態様として、上記許容空間をカウンターテーブルの連結機構との連結点より先端側の背面に設けた凹部により形成する。
【００２２】
（１３）本発明の好ましい一態様として、上記支持枠を、上記奥板から水平に延びる水平枠材とこの水平枠材の前端部から垂直方向上下に延びる垂直枠材とでＴ型に構成し、この垂直枠材の上方に延びる端部に上記カウンターテーブルの一端側背面の先端より外れた位置を上記連結機構を介して取り付ける。この構成では、垂直枠材の上方に延びる端部により、カウンターテーブルの一端側背面の先端側近傍に上記水平枠材の上面との間でカウンターテーブルの水平姿勢以上の振り上げを許容する空間を簡単に形成することができる。
【００２３】
（１４）本発明の好ましい一態様として、上記奥板の下部にカウンターテーブルが垂直姿勢にあるときに該カウンターテーブルの他端側に当接してカウンターテーブルの他端側の上記スペース内への入り込みを規制する規制部材を設ける。この規制部材により、カウンターテーブルを使用しないため水平姿勢状態から垂直姿勢状態に持ち下げる場合に、そのカウンターテーブルの格納位置を容易に位置決めすることができるようになり、カウンターテーブルの使い勝手が大きく向上するようになる。
【００２４】
（１５）本発明の好ましい一態様として、上記水平枠材が小物類の収納棚を構成する。
【００２５】
この構成では、スペースを有効活用することができて好ましい。
【００２６】
（１６）本発明の好ましい一態様として、上記規制部材を上記奥板の下部から水平に延ばして構成してその上面を小物類の収納棚とする。  この構成では、スペースを有効活用することができて好ましい。
【００２７】
（１７）本発明の好ましい一態様として、上記連結機構は、ヒンジである。
【発明の効果】
【００２８】
このように、本発明によれば、カウンターテーブルの出し入れを簡単に行うことができ、かつ、外観を損なうことなく使用できる対面式キッチンカウンターを提供することができる。
【発明を実施するための最良の形態】
【００２９】
以下、添付した図面を参照して本発明の実施の形態に係る対面式のキッチンカウンターを詳細に説明する。
【００３０】
図１（ａ）（ｂ）を参照して、実施の形態のキッチンカウンターの概略構成を説明する。図１（ａ）はカウンターテーブルがキッチンカウンターの背面側（リビング・ダイニング側）から矢印向きに持ち上げるようにして前方に出されて水平姿勢とされている使用状態、図１（ｂ）はカウンターテーブル６が図１（ａ）の状態からキッチンカウンターの背面側の側面に矢印向きに持ち下げられて垂直姿勢とされている格納状態を示す。図１において、１はキッチンカウンターであり、このキッチンカウンター１は、フルフラットとされたカウンタートップ２を備えている。このカウンタートップ２にＩＨ型のクッキングヒータ３とシンク４とが並列に組み込まれてユニット化されている。クッキングヒータ３の前方のカウンタートップ２にはオイル飛散防止用のガードパネル５が立設されている。
【００３１】
ガードパネル５は、片仮名で「コ」状の枠材５ａに、透明、半透明あるいは不透明で、着色ないしは無着色とされたパネル５ｂが嵌め込まれて正面矩形状に構成されている。パネル５ｂは、耐熱性のガラス材あるいは耐熱性の硬質樹脂材で構成されている。
【００３２】
以上の構成において、実施の形態では、キッチンカウンター１の背面側にカウンターテーブル６を左右一対の伸縮ステー７および後述する連結機構としてのヒンジにより図１（ａ）（ｂ）の各姿勢状態で支持可能としたものである。上記ヒンジはカウンターテーブル６の一端側背面を図１（ａ）（ｂ）には表れない断面Ｌ型の支持枠の前部上端縁に上下揺動可能に連結している。
【００３３】
実施の形態では、キッチンカウンター１背面側上方位置からは垂直姿勢のカウンターテーブル６により覆われて見えない位置に連結機構としてのヒンジや伸縮ステー７を取り付けたことにより、キッチンカウンター１の背面側の見栄えを向上させたものである。
【００３４】
そのため、キッチンカウンター１の背面側にカウンタートップ２と左右一対の側板８と奥板９とで奥行きの浅い凹所からなるスペース１０を構成し、かつ、カウンタートップ２下面に板材１１ａを沿わせると共にこの板材１１ａの前端部に前板１１を取り付けて収納スペース１０の上部を覆わせると共に、前板１１下端からカウンターテーブルの奥行き長さより若干離れた位置の収納スペース１０内にカウンターテーブル６の他端側が収納スペース１０内に入り込むことを規制する規制部材である規制板１２を装着している。前板１１はカウンタートップ２のスペース１０の入口近傍下面に設けていることによりスペース１０内に入り込んだカウンターテーブル６の一端側を前板１１で隠すことができる。また、規制板１２はその前方側下面が支持板１３で支持されその上面が小物類を置くことができる棚として利用可能としている。
【００３５】
図２を参照して、キッチンカウンター１の構成をさらに詳しく説明する。図２（ａ）はカウンターテーブル６が水平姿勢にして使用可能にする過程を示す状態、図２（ｂ）はカウンターテーブル６が垂直姿勢とされて格納されている状態を示す。カウンターテーブル６は、支持枠１４の前側上部端縁に連結機構であるヒンジ１５を介して上下揺動可能に連結されている。
【００３６】
支持枠１４は奥板９から水平に延びる水平枠材１４ａとこの水平枠材１４ａの前端部から垂直方向下方に延びる垂直枠材１４ｂとでＬ型に構成し、その前側上端縁にカウンターテーブルの一端側背面の先端より外れた位置をヒンジ１５を介して取り付けている。水平枠材１４ａはその上面が小物類を収納することが可能な棚を構成でき、また、水平姿勢状態のカウンターテーブル６の一端側を保持することができる。垂直枠材１４ｂはカウンターテーブル６が垂直姿勢にあるとき、カウンターテーブル６の背面に当接してその垂直姿勢位置を位置決めすることができる。
【００３７】
キッチンカウンター１の奥板９には左右一対のブラケット１６が固定されている。このブラケット１６に連結金具１７が固定されている。
【００３８】
左右一対の伸縮ステー７の一端側は、ブラケット１６に固定した連結金具１７にピン１８により連結され、これによって伸縮ステー７は一端側を揺動中心とし他端側が揺動自在になっている。
【００３９】
伸縮ステー７は、角筒状に形成された外筒７ａと、これにスライド出退自在に挿入された平板状の伸縮ロッド７ｂとからなる構成とされており、外筒７ａの下端部に枢支連結された連結金具１７が、キッチンカウンター１の内方下部に固設されたブラケット１６に連結されるとともに、伸縮ロッド７ｂの上端部にピン１９を介して枢支連結された連結金具２０がカウンターテーブル６の背面に連結され、カウンターテーブル６の矢印２２方向の上下揺動に伴って外筒７ａ内から伸縮ロッド７ｂが図２（ａ）（ｂ）のごとく出没することにより伸縮ステー７は伸縮されるようになっている。
【００４０】
伸縮ステー７の伸縮ロッド７ｂには、伸縮ロッド７ｂが所定の伸長位置から短縮作動するのを外筒７ａとの係止によって阻止する反復ロック機構７ｃが内装されている。
【００４１】
図３を参照して反復ロック機構７ｃを説明すると、反復ロック機構７ｃは、図３（ａ）の状態から図３（ｂ）で示すように伸縮ロッド７ｂを所定位置以上に伸長させると、図３（ｃ）で示すように伸縮ロッド７ｂの内端部に枢支されたロック爪７ｄが外筒７ａの係止孔７ｅに係止されて、それ以上の短縮作動が阻止される。この状態を短縮ロックということにする。この短縮ロックの状態から図３（ｄ）で示すように伸縮ロッド７ｂを再度伸長させるとロック爪７ｄが解除姿勢に回動されて短縮ロックが解除され、この状態からの短縮作動が許容されるように構成されており、図３（ａ）で示すように伸縮ロッド７ｂが外筒７ａ内に入り込み、伸縮ステー７は短縮する。伸縮ステー７は、このような伸縮を繰り返すことで短縮ロックとロック解除とが交互に反復されるようになっている。
【００４２】
図２に戻って、カウンターテーブル６が水平に振り上げられた状態において伸縮ステー７が短縮ロックされてカウンターテーブル６が使用姿勢（イ）に固定されるように、伸縮ステー７の上下の連結位置が調整されている。
【００４３】
ヒンジ１５は、カウンターテーブル６の一端側先端より外れた背面に取り付けられ、カウンターテーブル６がキッチンカウンター１の側面に沿った垂直姿勢に至るまで下向きに揺動されて振り下げられた状態ではヒンジ１５はカウンターテーブル６の背面に隠されて外方から見えないようになっている。
【００４４】
カウンターテーブル６の連結点ｐよりオーバーハングした先端側部分の背面は斜めに切欠きされてテーパー部６ａが形成されており、カウンターテーブル６が水平姿勢に揺動されて振り上げられた状態において、カウンターテーブル６の連結点ｐより先端側背面のテーパー部６ａと支持枠１４の水平枠材１４ａの上面との間に三角形状の空間ｃが形成されている。
【００４５】
この空間ｃの存在によって、図４に示すように、カウンターテーブル６を水平の使用姿勢（イ）より更に振り上げてロック解除姿勢（ハ）にすることが許容され、この振り上げ揺動によって伸縮ステー７の短縮ロックを解除してカウンターテーブル６を垂直の格納姿勢（ロ）まで振り下げることができるのである。
【００４６】
以上説明したことから明らかであるように、本実施形態では、キッチンカウンター１の側面にカウンターテーブル６の一端側を連結機構であるヒンジ１５を介して揺動可能に連結してカウンターテーブル６を水平姿勢と垂直姿勢とにその姿勢位置を変更可能としたものであり、キッチンカウンター１側面にカウンターテーブル６で覆い可能な凹所からなるスペース１０を設けると共にこのスペース１０内にヒンジ１５を取り付け、カウンターテーブル６が垂直姿勢にあるときはカウンターテーブル６によりスペース１０を覆うようにしたから、ヒンジ１５はカウンターテーブル６の背面に隠されてしまうことになる。これによって、ヒンジ１５がリビング・ダイニングルーム側に露呈するようなことがなくなり、キッチンカウンター１のリビング・ダイニングルーム側側面の見栄えを損ねてしまうことをなくすことができるようになった。
【００４７】
なお、本発明は、以下のような形態で実施することもできる。
【００４８】
図５で示すように、カウンターテーブル６の連結点ｐより先端側の背面を切除して段違い状の凹部６ｂを形成して、カウンターテーブル６を短縮ロック状態である水平姿勢（イ）からロック解除姿勢（ハ）へ揺動することを許容するための空間ｃを形成して実施することもできる。
【００４９】
また、図６で示すように、支持枠１４の垂直枠材１４ｂにおける水平枠材１４ａよりも垂直方向上方に延びる部分の上端面に段違い状の凹入部１４ｃを形成することで、カウンターテーブル６を短縮ロック状態である水平姿勢（イ）からロック解除姿勢（ハ）へ揺動することを許容するための空間ｃを形成できる。
【００５０】
また、図７（ａ）（ｂ）で示すように、伸縮ステー７を屈伸ステー７Ａに代え、この屈伸ステー７Ａを用いてカウンターテーブル６を使用姿勢と格納姿勢に切換えるようにしてもよい。この屈伸ステー７Ａは、キッチンカウンター１側に枢支連結されたリンク７Ａｃと、カウンターテーブル６の背面に枢支連結されたリンク７Ａｄとを屈伸可能に枢支連結し、この枢支連結部に伸展操作の都度、屈折ロックとロック解除とを交互に繰り返す反復ロック機構７Ａｅを装備したものである。上記以外は上述した実施の形態と同様であるから、その説明は略する。
【図面の簡単な説明】
【００５１】
【図１】図１は本発明の実施の形態に係るキッチンカウンターを厨房空間とは反対側から見た斜視図である。
【図２】図２はカウンターテーブルの出退構造部を示す縦断側面図であり、図２（ａ）はカウンターテーブルが水平姿勢状態にあるときのキッチンカウンターの要部を側面から示す断面図、（ｂ）はカウンターテーブルが垂直姿勢状態にあるときのキッチンカウンターの要部を側面から示す断面図である。
【図３】図３（ａ）ないし図３（ｄ）は伸縮ステーのロック状態とロック解除状態とを示す図である。
【図４】図４はカウンターテーブルを伸縮ステーのロック解除位置まで振り上げたときのカウンターテーブルの基部を示す縦断側面図である。
【図５】図５は本発明の他の実施の形態に係るキッチンカウンターの要部を側面から示す断面図である。
【図６】図６は本発明のさらに他の実施の形態に係るキッチンカウンターの要部を側面から示す断面図である。
【図７】図７（ａ）は本発明のさらに他の実施の形態に係るキッチンカウンターの要部をカウンターテーブルを水平姿勢にしてその側面から示す断面図、図７（ｂ）は同カウンターテーブルを垂直姿勢にしてその側面から示す断面図である。
【符号の説明】
【００５２】
１  キッチンカウンター
２  カウンタートップ
６  カウンターテーブル
７  伸縮ステー
８  側板
９  奥板
１０  スペース
【図１】
2008104553.tif 000003
【図２】
2008104553.tif 000004
【図３】
2008104553.tif 000005
【図４】
2008104553.tif 000006
【図５】
2008104553.tif 000007
【図６】
2008104553.tif 000008
【図７】
2008104553.tif 000009